(57)【要約】  【課題】  ルーバ設置箇所から後側にヒューズダンパー全体が大きく突出してルーバ設置箇所の美観を大きく損ねたり、ルーバを取り付けた施設等建築物の内部空間の有効利用を阻んだりするのを防止する。  【解決手段】  ルーバ本体４と、該ルーバ本体４の空気の流通を遮断する向きになるように付勢された延焼防止用可動羽根２４と通常時は該延焼防止用可動羽根２４をその付勢力に抗して該ルーバ本体４の空気の流通をする向きに保つヒューズ４４を備えた延焼防止用ヒューズダンパー８からなり、延焼防止用ヒューズダンパー８の少なくとも延焼防止用可動羽根２４が、ルーバ本体４の内部空間に納められてなる。【選択図】    図１
2005249244.tif 000002
【特許請求の範囲】
【請求項１】
ルーバ本体と、
上記ルーバ本体の空気の流通を遮断する向きになるように付勢された延焼防止用可動羽根及び通常時は該延焼防止用可動羽根をその付勢力に抗して該ルーバ本体の空気の流通をする向きに保つヒューズを備えた延焼防止用ヒューズダンパーと、
からなる延焼防止用ヒューズダンパー付ルーバにおいて、
上記延焼防止用ヒューズダンパーの少なくとも上記延焼防止用可動羽根が、上記ルーバ本体の内部空間に納められてなる
ことを特徴とする延焼防止用ヒューズダンパー付ルーバ。
【請求項２】
上記ヒューズダンパーは、上記ルーバが取り付けられる施設乃至建築物に耐熱性金属取付部材を介して取り付けられてなる
ことを特徴とする請求項１記載の延焼防止用ヒューズダンパー付ルーバ。
【請求項３】
上記耐熱性金属取付部材が鉄乃至鉄含有金属からなる
ことを特徴とする請求項１又は２記載の延焼防止用ヒューズダンパー付ルーバ。
【発明の詳細な説明】
【技術分野】
【０００１】
本発明は、火災が生じたときヒューズによってそのことを検知し、延焼防止用可動羽根によって空気の流通を遮断し以て一定時間以上延焼を防止する延焼防止用ヒューズダンパーを備えた延焼防止用ヒューズダンパー付ルーバに関する。
【背景技術】
【０００２】
本願発明者は防水・防音ルーバ等について特願平２−１９７７９１等により各種提案を行い、それが特許第２５６７２９４号公報等により公開された。
このような提案は、建築物の外部から内部への主として雨水等の侵入の防止に関するものである。
【０００３】
しかし、ルーバに火災が発生したとき延焼を防止する機能を備させるという要請があり、その要請に応えるべくヒューズダンパー付ルーバの開発も行われており、本願発明者もその開発を進めている。
一般のヒューズダンパーは、複数枚の延焼防止用可動羽根をルーバの背後に設け、該延焼防止用可動羽根をそのルーバを通じての空気の流通を遮断する方向にスプリングにより付勢し、更に、ヒューズをその付勢力に抗して延焼防止用可動羽根をそのルーバを通じての空気の流通を許容する向きに保持するように取り付けるようにしたものである。
【０００４】
このようなヒューズダンパーによれば、火災が発生したときにヒューズがその火災による熱で溶断し、上記付勢力に抗する力を失い、上記延焼防止用可動羽根はその付勢力によりルーバを背後から閉塞し、ルーバを通じての延焼を一定時間（例えば２０分）以上防止することができる。すると、その延焼を防止している時間内に消防署への通報等による消防自動車等による消火活動が期待できる。
【特許文献１】特許第２５６７２９４号公報（特願平２−１９７７９１）
【発明の開示】
【発明が解決しようとする課題】
【０００５】
ところで、従来の延焼防止用ヒューズダンパー付ルーバは、ルーバ自身の背後にヒューズダンパーを設けたので、ルーバ設置箇所から後側にヒューズダンパー全体が大きく突出してしまうという問題があった。
これは、美観を大きく損ねたり、ルーバを取り付けた施設等建築物の内部空間の有効利用を阻んだりし、延焼防止用ヒューズダンパー付ルーバの利用用途の拡大を阻む要因となっていた。
【０００６】
本発明はこのような問題点を解決すべく為されたものであり、ルーバ設置箇所から後側にヒューズダンパー全体が大きく突出してルーバ設置箇所の美観を大きく損ねたり、ルーバを取り付けた施設等建築物の内部空間の有効利用を阻んだりし、延焼防止用ヒューズダンパー付ルーバの利用用途の拡大が阻まれることを防止することを目的とする。
【課題を解決するための手段】
【０００７】
請求項１の延焼防止用ヒューズダンパー付ルーバは、ルーバ本体と、該ルーバ本体の空気の流通を遮断する向きになるように付勢された延焼防止用可動羽根及び通常時は該延焼防止用可動羽根をその付勢力に抗して該ルーバ本体の空気の流通をする向きに保つヒューズを備えた延焼防止用ヒューズダンパーと、からなる延焼防止用ヒューズダンパー付ルーバにおいて、上記延焼防止用ヒューズダンパーの少なくとも上記延焼防止用可動羽根が、上記ルーバ本体の内部空間に納められてなることを特徴とする。
【０００８】
請求項２の延焼防止用ヒューズダンパー付ルーバは、請求項１記載の延焼防止用ヒューズダンパー付ルーバにおいて、上記ヒューズダンパーが、上記ルーバが取り付けられる施設乃至建築物に耐熱性金属取付部材を介して取り付けられてなることを特徴とする。
請求項３の延焼防止用ヒューズダンパー付ルーバは、請求項１又は２記載の延焼防止用ヒューズダンパー付ルーバにおいて、上記耐熱性金属取付部材が鉄乃至鉄含有金属からなることを特徴とする。
【発明の効果】
【０００９】
請求項１の延焼防止用ヒューズダンパー付ルーバによれば、延焼防止用ヒューズダンパーの少なくとも上記延焼防止用可動羽根が、上記ルーバ本体の内部空間に納められているので、ルーバ設置箇所から後側にヒューズダンパー全体が大きく突出してルーバ設置箇所の美観を大きく損ねたり、ルーバを取り付けた施設等建築物の内部空間の有効利用を阻んだりし、延焼防止用ヒューズダンパー付ルーバの利用用途の拡大が阻まれることを防止することができる。
【００１０】
請求項２の延焼防止用ヒューズダンパー付ルーバによれば、ヒューズダンパーが上記ルーバが取り付けられる施設乃至建築物に耐熱性金属取付部材を介して取り付けられているので、火災の発生によってヒューズダンパーが施設乃至建築物に耐熱性金属取付部材から外れてヒューズダンパー本来の働きをしなくなるおそれを回避することができる。
請求項３の延焼防止用ヒューズダンパー付ルーバによれば、耐熱性金属取付部材が鉄からなるので、ヒューズダンパーと同じつくり易さでつくることができる。
【発明を実施するための最良の形態】
【００１１】
本発明は、基本的にはルーバ本体と、延焼防止用可動羽根及びヒューズを備えた延焼防止用ヒューズダンパーと、からなる延焼防止用ヒューズダンパー付ルーバであって、上記延焼防止用ヒューズダンパーの少なくとも上記延焼防止用可動羽根が、上記ルーバ本体の内部空間に納められてなるものであり、延焼防止用可動羽根及びヒューズの両方を、即ち延焼防止用ヒューズダンパーの全体を上記ルーバ本体の内部空間に納めるようにしても良いが、延焼防止用可動羽根を該ルーバ本体の内部空間に納め、ヒューズを該ルーバ本体の背後に設けるようにしても良く、後で述べる実施例１の項に記載した実施例ではヒューズを該ルーバ本体の背後に設けるようにしている。
【実施例１】
【００１２】
以下、本発明を図示実施例に従って詳細に説明する。
図１〜図３は本発明延焼防止用ヒューズダンパー付ルーバの第１の実施例を示すもので、図１は縦断面図、図２は同じく平面断面図、図３は延焼防止用ヒューズダンパーを示す分解斜視図である。
図面において、２は本実施例１のルーバで、ルーバ本体４と、該ルーバ本体４内部に、ヒューズ取付部６を除く部分が収納された延焼防止用ヒューズダンパー８と、からなる。
【００１３】
１０は上枠、１２は下枠、１４、１４は側枠で、該上枠１０、下枠１２及び左右の側枠１４、１４により枠体が構成され、該枠体内に以下に述べる部材が設けられている。
１６は正面部（前部）、１８は背面部（後部）であり、正面部（前部）１６は、図２に示すように、二枚羽根タイプの縦羽根連結体２０と、四枚羽根タイプの縦羽根連結体２２とが交互（２０、２２、２０、２２、・・・）に配置された縦型ルーバ部分とされている。
【００１４】
背面部（後部）１８は、複数の可動横羽根２４、２４、２４、２４が上から下に離間して配置された横型ルーバ部分とされている。該可動横羽根２４、２４、２４、２４が延焼防止用ヒューズダンパー８の一部を成しており、特許請求の範囲の延焼防止用可動羽根に該当する。
尚、２６は該横型ルーバ部分と上記縦型ルーバ部分との間に設けられたフィルター板である。
【００１５】
３０、３０は上記背面部（後部）１８内において適宜離間して垂直に固定された一対の可動横羽根保持板で、各々その中央片３０ａには軸挿孔３２、３２、３２、３２が形成されており、該各軸挿孔３２、３２、３２、３２には上記各可動横羽根２４、２４、２４、２４の両端に固定された回動軸３４、３４、・・・が回動自在に挿通されている。
３６は連結板で、上記各可動横羽根２４、２４、２４、２４を一斉に回動するために、一方の可動横羽根保持板３０の外側にて垂直の向きに配置されている。該連結板３６の上端部近傍にはそれとクロスするように前後に延びる板３８が固定されている。そして、その板３８の後方に延びる部分３８ａは、上記可動羽根保持板３０、３０のうちの上記一方の保持板３０の側片３０ｂの一端部（上端部）近傍に垂直方向に形成された遊挿孔４０に遊挿されている。そして、その板３８の該遊挿孔４０を遊挿された部分３８ａの端部（後端部）にヒューズ取付孔４２が形成されている。尚、該連結板３６は可動横羽保持板３０の軸挿通孔３２、３２、３２、３２が形成された位置よりも後側（屋内側）に位置している。
【００１６】
４４はヒューズで、両端部に取付孔４６、４６が形成されている。そして、その一方の取付孔４６及び上記ヒューズ取付孔４２に通したボルト４８（図１参照。図２では図示を省略した。）及び図面に現れないナットにより、連結板３６に板３８を介してヒューズ４４が固定されている。
上記連結板３６に固定された板３８の前方に延びる部分３８ｂの端部（前端部）にはスプリング係止孔４８が形成されており、該スプリング係止孔４８にはスプリング５０の一端が係止されている。該スプリング５０は上を向く向きで他端がルーバ本体４に固定され、板３８の前端部を常に矢印Ａｒ１に示すように上側に付勢している。
【００１７】
５２、５２、・・・は各可動横羽根２４に対応して一個ずつ設けられた伝動片で、両端に孔５４、５４が形成されている。各伝動片５２、５２、・・・の一方の孔５４は、その伝動片５２と対応する可動横羽根２４に固定された回動軸３４の軸挿孔３２を挿通して可動横羽保持板３０から外側に突出した部分に固定されている。
各伝動片５２、５２、・・・の他方の孔５４は、上記連結片３６に設けられた伝動突起５６、５６、・・・に遊嵌されており、５８、５８、・・・は伝動突起５６と孔５４との遊嵌状態を保持する抜け止め環である。
【００１８】
６０はＬ字状のヒューズ固定金具で、その一片に形成されたヒューズ取付孔６２及び上記ヒューズ４４の他方の取付孔４６に通したボルト６４（図１参照。図２では図示を省略した。）及び図面に現れないナットにより、ルーバ本体４の後面に取り付けられている。
この延焼防止用ヒューズダンパー８は、ヒューズ４４を除き、耐熱性のある鉄系金属材料（鉄又は鉄合金からなる金属材料）により形成されており、また、延焼防止用ヒューズダンパー８と、ルーバが取り付けられた建築物等の施設との間を繋ぎ、延焼防止用ヒューズダンパー８を支える部分（金属取付部材）も耐熱性のある鉄系金属材料７０により形成されている。そして、それ以外のルーバ本体４はアルミニウム系金属材料により形成されている。
【００１９】
本ルーバ２は、ヒューズ４４が溶断していない通常においては、各可動横羽根２４、２４、・・・が空気の流通を略最大限許容する向きに保たれており、本ルーバ２は屋内外間の空気の流通を許容した状態を保つ。
そして、火災の発生によりヒューズ４４が溶断すると、スプリング５０の付勢力により連結板３６が上方向に移動せしめられる。すると、その移動力が各伝動突起５６、５６、・・・及び伝動片５２、５２、・・・を介して回動軸３４、３４、・・・に伝達され、該回動軸３４、３４、・・・を矢印Ａｒ２に示す方向に回動させる。その結果、可動横羽根２４、２４、・・・がその方向に回動してほぼ完全に屋内外間の空気の流通を遮断する向きになり、上記スプリング５０の付勢力によりその状態が保たれる。
従って、火災が発生しても一定時間（例えば２０分間）延焼を防止することができる。
【００２０】
そして、延焼防止用ヒューズダンパー８が、ヒューズ４４を除きルーバ本体４の内部空間に納められているので、ルーバ設置箇所から後側にヒューズダンパー８全体が大きく突出してルーバ設置箇所の美観を大きく損ねたり、ルーバを取り付けた施設等建築物の内部空間の有効利用を阻んだりし、延焼防止用ヒューズダンパー付ルーバの利用用途の拡大が阻まれることを防止することができる。
【産業上の利用可能性】
【００２１】
本発明は、火災が生じたときヒューズによってそのことを検知し、延焼防止用可動羽根によって空気の流通を遮断し以て一定時間以上延焼を防止する延焼防止用ヒューズダンパーを備えた延焼防止用ヒューズダンパー付ルーバ全般に利用可能性がある。
【図面の簡単な説明】
【００２２】
【図１】本発明延焼防止用ヒューズダンパー付ルーバの第１の実施例を示す縦断面図である。
【図２】上記第１の実施例の平面断面図である。
【図３】上記第１の実施例の延焼防止用ヒューズダンパーを示す分解斜視図である。
【符号の説明】
【００２３】
２・・・延焼防止用ヒューズダンパー付ルーバ（実施例）、
４・・・ルーバ本体、６・・・ヒューズ取付部、
８・・・延焼防止用ヒューズダンパー、５０・・・付勢手段（スプリング）、
２４・・・延焼防止用可動羽根（可動横羽根）、４４・・・ヒューズ、
７０・・・耐熱性金属取付部材。
【図１】
2005249244.tif 000003
【図２】
2005249244.tif 000004
【図３】
2005249244.tif 000005